(57)【要約】      （修正有）【課題】太陽電池モジュールの位置ずれを抑制するとともに、フレーム強度を従来よりも高めた太陽電池アレイを提供する。【解決手段】第１フレーム３ａを外周に有する第１の太陽電池モジュール１ａと、第２フレーム３ｂを外周に有する第２の太陽電池モジュール１ｂと、を備えた太陽電池アレイであって、前記第１フレーム及び前記第２フレームが連結されていることを特徴とする。また、前記第１フレーム及び前記第２フレームを連結する連結部材１０（ネジ部材７ｃ）をさらに備えることが好ましい。【選択図】図２
2008244219.tif 000002
【特許請求の範囲】
【請求項１】
第１フレームを外周に有する第１の太陽電池モジュールと、
第２フレームを外周に有する第２の太陽電池モジュールと、
を備えた太陽電池アレイであって、
前記第１フレーム及び前記第２フレームが連結されていることを特徴とする太陽電池アレイ。
【請求項２】
前記第１フレーム及び前記第２フレームを連結する連結部材を更に備えたことを特徴とする請求項１に記載の太陽電池アレイ。
【請求項３】
前記連結部材は、ネジ部材であることを特徴とする請求項１又は請求項２に記載の太陽電池アレイ。
【請求項４】
前記第１フレームと前記第２フレームとは、両者が対向する領域に嵌合構造を有することを特徴とする請求項１乃至請求項３のいずれかに記載の太陽電池アレイ。
【請求項５】
前記両者が対向する領域は、粗面化されていることを特徴とする請求項４に記載の太陽電池アレイ。
【請求項６】
前記第１フレームと前記第２フレームとは、同じ素材で構成されることを特徴とする請求項１乃至請求項５のいずれかに記載の太陽電池アレイ。
【請求項７】
前記第１フレームと前記第２フレームとの間に、前記第１フレーム及び前記第２フレームよりもせん断強度が高い中間部材が介在することを特徴とする請求項６に記載の太陽電池アレイ。
【請求項８】
前記第１フレーム上に前記第２フレームが重ねられて連結されていることを特徴とする請求項１乃至請求項７のいずれかに記載の太陽電池アレイ。
【請求項９】
前記第１の太陽電池モジュールの棟側の前記第１フレーム上に前記第２の太陽電池モジュールの軒側の前記第２フレームが重ねられて連結されていることを特徴とする請求項８に記載の太陽電池アレイ。
【発明の詳細な説明】
【技術分野】
【０００１】
本発明は、複数の太陽電池モジュールを備えた太陽電池アレイに関する。
【背景技術】
【０００２】
近年、地球環境問題に対する関心の高まりに伴い、自然エネルギーを利用した新エネルギーシステムの技術開発が進んでいる。その中で、太陽光を利用した太陽光利用機器は最も注目されており、現在急速に世の中に普及しつつある。
【０００３】
太陽光利用機器の一例としては、太陽光を電気エネルギーに変換する太陽電池素子を複数接続した太陽電池モジュールがあり、前記太陽電池モジュールを複数、設置して太陽電池アレイが例えば住宅等の屋根上に設置されている。
【０００４】
なお、例えば屋根上に太陽電池アレイを取り付ける場合、その取付け方は種々様々であり、屋根材と一体的に製造された屋根材一体型の太陽電池モジュールを用いた太陽電池アレイや、屋根上の瓦材の上に縦桟や横桟を用いて架台を組み立て、当該架台に太陽電池モジュールを設置する屋根置き形の太陽電池アレイなどがある。
【０００５】
このような太陽電池アレイの構造としては、軒側の太陽電池モジュールの上横枠に棟側の太陽電池モジュールの下横枠が載置される太陽電池アレイが提案されている（例えば特許文献１参照）。
【特許文献１】特開２００３−１０５９３９号公報
【発明の開示】
【発明が解決しようとする課題】
【０００６】
しかしながら、太陽電池モジュールに荷重が加わり上横枠及び下横枠に撓みが発生した場合、上横枠及び下横枠の載置面で生じるせん断力に対しては、上横枠と下横枠との間で生じる摩擦力のみでしか当該枠部材のずれを制御できなかった。特に、屋根の軒棟方向や棟と平行な方向など様々な方向から応力を枠が受けた場合には、太陽電池モジュールは屋根や野地板上に設置された架台に載置固定されているものの、太陽電池モジュールの隣り合う枠どうしを共用しておらず、枠の撓みを抑制することは困難であった。それゆえ、枠のずれが生じるおそれがあった。
【０００７】
また、枠の撓みを抑制するためには、枠の体積を増加させる必要があり太陽電池モジュールの大型化につながるおそれがあった。
【０００８】
本発明は、上記課題に鑑みなされたものであり、太陽電池モジュールの位置ずれを抑制するとともに、フレーム強度を従来よりも高めた太陽電池アレイを提供することを目的とする。
【課題を解決するための手段】
【０００９】
上記の課題を解決するために、請求項１の発明は、第１フレームを外周に有する第１の太陽電池モジュールと、第２フレームを外周に有する第２の太陽電池モジュールと、を備えた太陽電池アレイであって、前記第１フレーム及び前記第２フレームが連結されていることを特徴とする。
【００１０】
また、請求項２の発明は、請求項１に記載の太陽電池アレイであって、前記第１フレーム及び前記第２フレームを連結する連結部材を更に備えたことを特徴とする。
【００１１】
また、請求項３の発明は、請求項１又は請求項２に記載の太陽電池アレイであって、前記連結部材は、ネジ部材であることを特徴とする。
【００１２】
また、請求項４の発明は、請求項１乃至請求項３のいずれかに記載の太陽電池アレイであって、前記第１フレームと前記第２フレームとは、両者が対向する領域に嵌合構造を有することを特徴とする。
【００１３】
また、請求項５の発明は、請求項４に記載の太陽電池アレイであって、前記両者が対向する領域は、粗面化されていることを特徴とする。
【００１４】
また、請求項６の発明は、請求項１乃至請求項５のいずれかに記載の太陽電池アレイであって、前記第１フレームと前記第２フレームとは、同じ素材で構成されることを特徴とする。
【００１５】
また、請求項７の発明は、請求項６に記載の太陽電池アレイであって、前記第１フレームと前記第２フレームとの間に、前記第１フレーム及び前記第２フレームよりもせん断強度が高い中間部材が介在することを特徴とする。
【００１６】
また、請求項８の発明は、請求項１乃至請求項７のいずれかに記載の太陽電池アレイであって、前記第１フレーム上に前記第２フレームが重ねられて連結されていることを特徴とする。
【００１７】
また、請求項９の発明は、請求項８に記載の太陽電池アレイであって、前記第１の太陽電池モジュールの棟側の前記第１フレーム上に前記第２の太陽電池モジュールの軒側の前記第２フレームが重ねられて連結されていることを特徴とする。
【発明の効果】
【００１８】
このように本発明の太陽電池アレイによれば、フレームどうしが屋根の軒棟方向や棟と平行な方向など様々な方向から応力を受けた場合であっても、第１フレーム及び第２フレームは連結されているため、太陽電池モジュールどうしのずれを抑制できる。
【００１９】
また、第１フレーム及び第２フレームは連結されるため、フレームどうしの断面形状は、第１フレーム及び第２フレームの断面形状を合成したものとみなすことができる。すなわち、第１フレーム及び第２フレームが一体化したものとみなせるため、当該連結されたフレームの断面二次モーメント及び断面二次係数は、各フレームの断面二次モーメント及び断面二次係数を足し合わせたものよりも大きくなる。それゆえ、当該連結されたフレームが様々な方向から応力を受けた場合であっても、第１フレーム及び第２フレームの強度を共用することで、当該連結されたフレームにおける機械的強度を従来よりも向上させることができる。
【発明を実施するための最良の形態】
【００２０】
以下、本発明の実施形態を図面に基づいて説明する。
【００２１】
＜太陽電池アレイの構成＞
図１（ａ）は本発明の実施形態に係る太陽電池アレイを模式的に示す構造断面図である。また、図１（ｂ）は太陽電池モジュール一枚の構造断面図である。図１及び図１以降では、方位関係を明確化するために、相互に直交するＸＹＺの３軸を付してある。
【００２２】
太陽電池アレイ２０は、主に２つの太陽電池モジュール１（１ａ、１ｂ）と金具６とを備える。
【００２３】
太陽電池モジュール１は、太陽電池パネル２とフレーム３とを備える。
【００２４】
太陽電池パネル２は、例えば、複数の太陽電池素子（不図示）が樹脂やガラスなどで被覆されて形成される。そして、太陽電池パネル２の裏面には太陽電池モジュールへの出入力を行なう端子を保護する端子ボックス５が形成される。端子ボックス５からは出力線（不図示）が引き出され、接続箱（不図示）やインバータ（不図示）に電気的に接続される。
【００２５】
フレーム３は、例えばロの字型の断面形状を有し、太陽電池パネル２の外周付近に形成される。このフレーム３は、防食性および軽量化などを考慮すると、アルミニウムなどの軽金属などによって構成されるものが好ましい。また、フレーム３はアルミニウムを押し出し成型することによって所定の形状に成型することができる。特に、第１フレーム（軒側フレーム）３ａと第２フレーム（棟側フレーム）３ｂとは、同じ素材で構成されることが好ましい。同じ材料でフレーム３を構成することで、材料コストを低減することができる。以下、第１フレームの一例として軒側フレーム、第２フレームの一例として棟側フレームとして説明する。
【００２６】
金具６は、例えば屋根上に釘やネジなどで固定される第１金具６ａと、第１金具６ａに固定されるとともに、フレーム３ｂと係合する第２金具６ｂとからなる。第１金具６ａ及び第２金具６ｂは、防食性および強度などを考慮するとステンレス鋼やアルミニウムなどの金属が好ましい。
【００２７】
図２は図１（ａ）において破線で囲ったＡの領域の部分拡大図であり、図中、１ａ、１ｂは太陽電池モジュール。３ａは太陽電池モジュール１ａの軒側フレーム、３ｂは太陽電池モジュール１ｂの軒側フレーム、６ａは第１金具、６ｂは第２金具、７ａ、７ｂは金具６を固定する部材、８ａは軒側フレームに設けられた凹部、８ｂは棟側フレームに設けられた凸部、９ａは軒側フレームに設けられたリブ、９ｂは棟側フレームに設けられたリブ、７ｃはネジ部材である。
【００２８】
金具を固定する部材７ａ、７ｂは、従来周知の釘、ネジ、又はボルトを用いればよく、防食性を考慮してスレンレス鋼が好適に用いられる。
【００２９】
図２に示すように隣り合う太陽電池モジュール１ａ、１ｂのフレーム３どうしが連結部材１０で連結されている。
【００３０】
連結部材１０は、例えばネジ部材７ｃを用いることが好ましく、ネジ部材７ｃをフレーム３に締め込むために、軒側フレーム３ａには、ネジ部材７ｃの外径より小さな下穴を設け、棟側フレーム３ｂには下孔を設けずに、ドリルネジによりネジ山を切って固定することが好ましい。ネジ部材７ｃは防食性を考慮するとステンレス鋼で構成されるものが好ましい。また、ネジ部材７ｃとして、フレーム３どうしを挿通するボルトと、ナットとを組み合わせてフレーム３どうしを連結してもよい。
【００３１】
特に、各フレーム３が中実フレームの場合は、ネジ部材７ｃとしてネジを用いることが好ましく、ネジに形成されたネジ山が各フレーム３に入り込む領域は、中空フレームよりも広いため、より強固に各フレーム３を連結することができる。
【００３２】
また、各フレーム３が中空フレームの場合は、ネジ部材７ｃとしてボルトとナットを用いることが好ましく、中空フレームの間をボルトが柱のように形成されるため、各フレーム３を連結させた際に強度を高めることができる。
【００３３】
以上のように、連結部材１０によって、フレーム３ａ、３ｂは、屋根の軒棟方向や棟と平行な方向など様々な方向から応力を受けた場合であっても、移動が抑制される。すなわち、フレーム３ａ、３ｂが一体化したものとみなすことができる。それゆえ、太陽電池モジュール１どうしのずれを抑制できるとともに、従来よりもフレーム３ａ、３ｂの強度を向上させることができる。
【００３４】
なお、本発明に係る連結とは、フレーム３ａ、３ｂを一体化させることであり、ＸＹＺ方向の移動を抑制した構造を示すものである。
【００３５】
以下、本発明に係るフレーム３ａとフレーム３ｂとを一体化した場合の強度の方が、フレーム３ａとフレーム３ｂとが一体化されていない場合の強度よりも強い理由を図６（ａ）〜（ｃ）を用いて説明する。
【００３６】
図６（ａ）〜（ｃ）は、壁面に２本の片持ち梁を密着して取り付けたモデル図であり、ｂは梁の奥行き方向の幅、ｈは梁１本あたりの高さ方向の長さである。例えば、梁の先端に荷重Ｆを加えた場合、２本の梁の部材間が固定されていない従来のモデルでは、図６（ｂ）のように変形する。しかしながら、２本の梁の部材間が完全に固定されている本発明を示すモデルでは、図６（ｃ）のように変形する。
【００３７】
ここで、従来の図６（ｂ）のモデルにおける断面二次モーメントＩ１と断面二次係数Ｚ１は下記の式で表すことができる。
【００３８】
Ｉ１＝ｂｈ・（ｈ／２）２＋ｂｈ・（ｈ／２）２＝ｂｈ３／２
Ｚ１＝Ｉ／ｈ＝ｂｈ２／２
また、本発明に係る図６（ｃ）のモデルにおける断面二次モーメントＩ２と断面二次係数Ｚ２は下記の式で表すことができる。
【００３９】
Ｉ２＝ｂ（２ｈ）３／１２＝２ｂｈ３／３
Ｚ２＝ｂ（２ｈ）２／６＝２ｂｈ２／３
断面二次モーメントＩおよび断面二次係数Ｚは、梁の曲げ強度を示すパラメータであり、値が大きいほど強度が高い。すなわち、本発明に係る図６（ｃ）の梁は、フレームどうしの強度を共用することによって、従来よりも約１．３３倍にフレーム３の強度を向上させることができる。
【００４０】
なお、ここでは模式的に中実梁のモデルを利用してフレーム３の強度向上の原理を説明したが、中空梁の場合であっても、同様の原理で断面二次モーメントＩ及び断面二次係数Ｚも増加する。
【００４１】
以上のように、本発明によれば、フレーム３強度を従来よりも高めることが可能となり、従来のようにレール状の架台を屋根上に配設しなくてもよい。それゆえ、架台を無くし太陽電池アレイ２０の部品点数を低減や材料コストの低減が可能になる。
【００４２】
また、架台を有しない太陽電池アレイ２０とすれば、屋根面と太陽電池モジュール１との間で裏面方向に突出する部材が少なくなる。それゆえ、太陽電池モジュール１の裏面において、空気の流通を阻害する要素が少ないことから、屋根面と太陽電池モジュール１裏面との間で、移動可能な空気の量が増加する。その結果、特に結晶系の太陽電池素子を使用すれば、太陽電池アレイ２０の冷却性能を向上させて発電効率を向上させることができる。
【００４３】
さらに、フレーム３強度を従来よりも高めることが可能となるので、従来よりもフレーム３の小型化が可能となり、材料コストの低減とともに、屋根面積を有効に利用した太陽電池アレイ２０を提供することができる。
【００４４】
＜嵌合構造＞
さらに、上述した軒側フレーム３ａと棟側フレーム３ｂとは、両者が対向する領域に嵌合構造を有することが好ましい。
【００４５】
図４は、軒側フレーム３ａと棟側フレーム３ｂとの嵌合構造を示す斜視図である。図中、８ａは軒側フレームに設けられた凹部であり、９ａはリブである。また、８ｂは棟側フレームに設けられた凸部であり、９ｂはリブである。このような嵌合構造とすることで、よりフレーム３どうしのＸＹＺ方向の固定を確実なものにすることができるため好ましい。
【００４６】
リブ８ａ、８ｂを有するフレーム３の成型は、例えば上述した押し出し成型の場合は、押し出し金型によって所定形状のフレーム３を成型した後、加工金型により凹凸部分の加工することでフレーム３どうしを重ねた時に互いに交差するようなリブ９ａ、９ｂを形成することができる。
【００４７】
特に、棟側フレーム３ｂに設けられたリブ８ｂは、フレーム３の境界面のせん断方向へのずれを防止するだけでなく、上側に向けて突出している為、浸入水を遮断する水切りの機能も有する。
【００４８】
またさらに、上述した軒側フレーム３ａと棟側フレーム３ｂとは、両者が対向する領域を粗面化しておくことが好ましい。この領域を粗面化することによって、フレーム３どうしが屋根の軒棟方向や棟と平行な方向など様々な方向から応力を受けた場合に、当接するフレーム３どうしでの摩擦力を従来よりも増加させることができるため、よりフレーム３の移動を抑制することができる。また、フレーム３と連結部材１０との当接する領域においても、当該領域を粗面化しておくことが好ましく、摩擦力によってフレーム３の移動をさらに抑制することができる。なお、フレーム３の粗面化は、従来周知のブラスト処理や微小な溝を設ければよい。
【００４９】
さらにまた、粗面化した部分に大きいゴムや樹脂材、ＥＰＤＭゴム、ブチルゴム、両面粘着テープを貼り付ければ、フレーム３どうしの接着力をさらに高めて、フレーム３の強度を更に高めることが出来る。
【００５０】
次に、図３に太陽電池モジュール１の軒側フレーム３ａに軒側化粧部材１７を取り付けた構造を示す。図３は図１（ａ）において破線で囲ったＢの領域の部分拡大図であり、図中、１１は棒状部材、１７は軒側化粧部材である。なお、上記図２と同一符号の説明は省略する。
【００５１】
軒側化粧部材１７は、金具６ａおよび太陽電池モジュール１の裏側が屋根下から見えないように太陽電池モジュール１を覆うものであり、防食性及び軽量化を考慮すると、ガルバリウム板金、アルミニウム、又は樹脂などが好適に用いられる。
【００５２】
棒状部材１１は、棟側フレーム３ｂの代わりとするものであり、棟側フレーム３ｂと同等の高さと長さを備え、嵌合構造をもつものが好ましい。棒状部材１１の防食性及び軽量化を考慮すると、材質はアルミニウムが好ましい。
【００５３】
なお、軒先化粧部材１７の材質はゴム製としてもよく、フレーム内で嵌合させてもよい。また、棒状部材１１の一部を軒先側に延出して金具６ａを隠す化粧構造とすれば、部材点数を低減できるため好ましい。
【００５４】
以下、本発明に係る太陽電池アレイ２０において、所望の太陽電池モジュール１のみを取り外す方法について図５に基づき以下に説明する。例えば、太陽電池モジュール１を長期に渡って使用した場合、任意の太陽電池モジュール１を交換したり、取り外す等のメンテナンスを行う必要性がある。
【００５５】
図５（ａ）〜（ｄ）は太陽電池モジュール１を１枚だけ取り外す工程を示す図である。
【００５６】
図５（ａ）に示す太陽電池アレイ２０から以下のような手順で所定の太陽電池モジュール１を取り外す。まず、図５（ｂ）に示す通り、太陽電池モジュール１ｃの軒側と棟側のネジ部材７ｃを取り外す。次に、図５（ｃ）に示す通り、太陽電池モジュール１ｄを少し浮かせて嵌合部分を取り外し、太陽電池モジュール１ｃの軒側を持ち上げる。最後に、図５（ｄ）に示すように、太陽電池モジュール１ｃを軒側に向かってずらすことによって、１枚だけ太陽電池モジュール１を取り外すことが可能である。
【００５７】
このように、例えフレーム３どうしが連結されていた場合であっても、本発明によれば太陽電池モジュール１の受光面側から簡単に連結状態を解除することができるため、太陽電池モジュール１のメンテナンス時に簡易な工程で所望の太陽電池モジュール１だけを取り外すことができる。なお、太陽電池アレイ２０の施工時においても太陽電池モジュール１の受光面側からフレーム３を取り付けることができるため、施工時の作業性が向上することは言うまでもない。
【００５８】
以上、本発明の実施形態について説明したが、この発明は上記発明した内容のものに限定されるものではない。
【００５９】
＜その他＞
例えば、上記実施形態では、連結部材１０としてネジ部材７ｃを用いた例を示したが、これに限られず、連結部材１０として第１フレーム（軒側フレーム）３ａ及び第２フレーム（棟側フレーム）３ｂを覆うカバー部材１８を用いてもよい。
【００６０】
図９に本発明に係る他の実施形態の構造断面図を示す。図中、２は太陽電池パネル、３はフレーム、１８はカバー部材である。カバー部材１８は桁行き方向の太陽電池モジュール１の両端で屋根面方向に巻き込むように軒側フレーム３ａ、棟側フレーム３ｂを挟持する構造となっている（不図示）。
【００６１】
このように、フレーム３どうしを連結するカバー部材１８によってもＸＹＺ方向の移動を制御することができる。カバー部材１８によって、Ｙ軸方向、Ｚ軸方向にフレーム３が移動することを抑制しているだけではなく、Ｘ軸方向に対しても、フレーム３とカバー部材１８とが係合することによって、フレーム３がＸＹＺ方向に移動することを抑制している。
【００６２】
カバー部材１８は、防食性および軽量化などを考慮すると、アルミニウムなどの軽金属などによって構成されるものが好ましい。
【００６３】
また、連結部材１０は、第１フレーム（軒側フレーム）３ａ及び第２フレーム（棟側フレーム）３ｂを連結するかすがい状部材であってもよい。かすがい状部材の材質は、防食性及び軽量化などを考慮すると、アルミニウムなどの軽金属などによって構成されることが好ましい。
【００６４】
そして、軒側フレーム３ａと棟側フレーム３ｂとの間に、軒側フレーム３ａ及び棟側フレーム３ｂよりもせん断強度が高い中間部材（不図示）を介在させることが好ましい。
【００６５】
中間部材としてはエポキシ系の金属用接着剤や、金属板等が好適に利用可能である。
【００６６】
金属用接着剤としては、接着力は接着面積に比例する為、軒側フレーム３ａと軒側フレーム３ｂの接触面のできるだけ広い範囲に塗布することが好ましい。中間部材が介在することで、軒側フレームと棟側フレームが強度上一体化して扱われ強度が向上する。
【００６７】
中間部材は、単に軒側フレーム３ａと棟側フレーム３ｂとの断面積を増加させるだけではなく、各フレーム３よりもせん断強度が高いため、軒側フレーム３ａと棟側フレーム３ｂとの合計した強度よりも、中間部材の強度が加わるため、フレーム３部分での強度を高くすることができる。
【００６８】
例えば、中間部材として接着剤を用いた場合のせん断強度は、ＪＩＳＫ−６８５０の規定に基づくねじり試験によって測定することができる。また、金属部材からなる中間部材のせん断強度は、ＪＩＳＺ−２２４１の規定に基づく引っ張り試験により得られた基準強度から算出することができる。
【００６９】
またさらに、軒側フレーム３ａ上に棟側フレーム３ｂが重ねられて固定されていれば、太陽電池アレイ２０の施工時や、太陽電池モジュール１のメンテナンス時において、施工業者が太陽電池モジュール１上に乗った場合であっても、屋根の傾斜方向に対して垂直な方向に対するフレーム３強度が高くなるため好ましい。
【００７０】
さらにまた、本発明に係る太陽電池アレイ２０は、スレート屋根上で設置する場合で説明したが、和瓦屋根、洋瓦屋根、又は板金屋根等でも好適に設置できる。また、陸屋根面に設置する陸屋根型太陽電池アレイ２０や壁用太陽電池アレイ２０等でも好適に用いることができる。図８（ａ）は、陸屋根に太陽電池アレイ２０を設置した様子を示す斜視図である。また、図８（ｂ）は、図８の破線で囲った領域の部分拡大図であり、Ｘ方向から見た図である。さらに太陽電池モジュール１を住宅屋根の流れ方向に並べて配置した例で示したが、屋根の桁行き方向にフレーム３が重なった場合であってもよい。例えば、上記構造は意匠性を考慮して太陽電池モジュール１が瓦葺の外観を有するようにしたが、図７に示す構造とすることで太陽電池モジュール１を平面的に配置することも可能である。
【図面の簡単な説明】
【００７１】
【図１】（ａ）は本発明の実施形態に係る太陽電池アレイを模式的に示す構造断面図であり、（ｂ）は太陽電池モジュール一枚の構造断面図である。
【図２】図１（ａ）において破線で囲ったＡの領域の部分拡大図である。
【図３】図１（ａ）において破線で囲ったＢの領域の部分拡大図である。
【図４】軒側フレームと棟側フレームとの嵌合構造を示す斜視図である。
【図５】（ａ）〜（ｄ）は太陽電池アレイの取り外し方法を示す図である。
【図６】（ａ）〜（ｃ）フレーム強度を説明するモデル図である。
【図７】本発明に係る他の実施形態を示す図である。
【図８】本発明に係る他の実施形態を示す図である。
【図９】本発明に係る他の実施形態を示す図である。
【符号の説明】
【００７２】
１、１ａ、１ｂ、１ｃ、１ｄ：太陽電池モジュール
２：太陽電池モジュール
３：フレーム
３ａ：第１フレーム、軒側フレーム
３ｂ：第２フレーム、棟側フレーム
５：端子ボックス
６：金具
６ａ：第１金具
６ｂ：第２金具
７ａ、７ｂ：金具を固定する部材
７ｃ：ネジ部材
８ａ：第１フレーム（軒側フレーム）に形成された凹部
８ｂ：第２フレーム（棟側フレーム）に形成された凸部
９ａ：第１フレーム（軒側フレーム）に形成されたリブ
９ｂ：第２フレーム（棟側フレーム）に形成されたリブ
１０：連結部材
１１：棒状部材
１７：軒先化粧部材
１８：カバー部材
【図１】
2008244219.tif 000003
【図２】
2008244219.tif 000004
【図３】
2008244219.tif 000005
【図４】
2008244219.tif 000006
【図５】
2008244219.tif 000007
【図６】
2008244219.tif 000008
【図７】
2008244219.tif 000009
【図８】
2008244219.tif 000010
【図９】
2008244219.tif 000011